(57)【要約】【課題】二輪車本体に固定されたブラケットに対する前照灯の取付けが容易であり、前照灯が取り外された際にブラケットが二輪車全体の外観性に与える影響が少ない前照灯ユニットを提供する。【解決手段】二輪車本体１に固定されるブラケット２０と、ブラケット２０に対して着脱自在な前照灯１０と、から構成される前照灯ユニット１００であり、前照灯１０とブラケット２０は一方が凹部１５ｂを、他方が凸部２４をそれぞれ備え、前照灯１０は、その前面に照明が透過される透光窓１２ｂを備え、その背面１５ａに凹部１５ｂを備えており、前照灯１０の背面１５ａの凹部１５ｂとブラケット２０の凸部２４が係合して形成される。【選択図】図７
2015223874.tif 000002
【特許請求の範囲】
【請求項１】
二輪車本体に固定されるブラケットと、該ブラケットに対して着脱自在な前照灯と、から構成される前照灯ユニットであって、
前記前照灯と前記ブラケットは、一方が凹部を、他方が凸部をそれぞれ備え、
前記前照灯は、その前面に照明が透過される透光窓を備え、その背面に前記凹部もしくは前記凸部を備えており、
前記前照灯の背面の前記凹部もしくは前記凸部と前記ブラケットの前記凸部もしくは前記凹部が係合して形成される前照灯ユニット。
【請求項２】
前記凸部はその一部に側方に広がる第一フランジを備え、前記凹部はその一部に該第一フランジが通過する歯抜け部を備えた第二フランジを備えており、
前記凸部の前記第一フランジが前記歯抜け部を介して前記凹部内に挿入され、前照灯もしくはブラケットの一方が他方に対して回動され、第一フランジと第二フランジが係合して形成される請求項１に記載の前照灯ユニット。
【請求項３】
前記ブラケットは前記二輪車本体を構成する前ホークに固定される、請求項１または２に記載の前照灯ユニット。
【請求項４】
前記前照灯はその側面に、照明の点灯と消灯の切替え、もしくは点灯と点滅と消灯の切替えを実行するメイン操作部と、照明の色を変更するサブ操作部を備えており、
前記ブラケットに対して前記前照灯が固定された際に、少なくともメイン操作部が予め調整されている位置に位置決めされる請求項１〜３のいずれかに記載の前照灯ユニット。
【請求項５】
前記ブラケットは、前記二輪車本体に固定される固定片と、該固定片に設けられた取り付け片と、から構成され、
前記取り付け片の前面に前記凹部もしくは前記凸部が設けられている請求項１〜４のいずれかに記載の前照灯ユニット。
【請求項６】
前記前照灯は、照明機器および電池を収容する前照灯本体と、該前照灯本体に着脱自在な電池蓋とから構成され、
前記前照灯本体と前記電池蓋は、一方が第三フランジを備え、他方が第三フランジが通過する歯抜け部を備えた第四フランジを備えており、第三フランジが該歯抜け部を介して第四フランジの背面に挿入され、前記前照灯本体もしくは前記電池蓋の一方が他方に対して回動され、第三フランジが第四フランジに係合することで双方の固定が図られるものであり、
前記電池蓋と前記前照灯本体との係合部の径が前記前照灯もしくは前記ブラケットに設けられた前記凹部の内径よりも大きい請求項１〜５のいずれかに記載の前照灯ユニット。
【発明の詳細な説明】
【技術分野】
【０００１】
本発明は、自転車や自動二輪車等の二輪車に固定されるブラケットと、このブラケットに取り付けられる前照灯とから構成される前照灯ユニットに関するものである。
【背景技術】
【０００２】
自転車や自動二輪車等の二輪車には一般に、そのハンドルや前ホーク、またはバスケット下方などの場所に前照灯が取り付けられている。
【０００３】
二輪車本体に前照灯を取り付ける取り付け構造として、前照灯を収容する筒状のホルダを二輪車本体のたとえば前ホークに固定しておき、このホルダに前照灯を収容して固定する取り付け構造が実用化されており、また特許文献１にもこの固定構造が開示されている。
【０００４】
特許文献１で記載される照明灯は、ホルダから照明灯を取り外し、携帯用の懐中電灯等としても使用することができる。
【０００５】
特許文献１で記載されるホルダと照明灯の固定構造は、ホルダの内壁面に設けられた係止部と、照明灯の外周面の被係止部とを相互に係止させるものであり、これらの係止構造と照明灯の側面全体がホルダに覆われる構成を採用することにより、照明灯がその軸方向や周方向に移動するのが効果的に規制される。
【０００６】
しかしながら、このようにホルダに照明灯を収容固定する固定構造では、ホルダが照明灯を完全に収容する必要があることからホルダの体格が自ずと大きなものとならざるを得ない。そして、携帯用の電灯として使用するべく、照明灯をホルダから取り外した際に、比較的大きな筒状のホルダが二輪車本体の前方位置に残存していることから、二輪車本体の外観性（見栄え）に少なからず影響を与えてしまう。
【先行技術文献】
【特許文献】
【０００７】
【特許文献１】特開２０１３−１８０５９２号公報
【発明の概要】
【発明が解決しようとする課題】
【０００８】
本発明は上記する問題に鑑みてなされたものであり、二輪車本体に固定されたブラケットに対する前照灯の取付けが容易であり、かつ、ブラケットと前照灯の取り付け部における構造安定性も高く、さらには、前照灯が取り外された際にブラケットが二輪車全体の外観性に与える影響が少ない、二輪車本体に固定されるブラケットと、このブラケットに対して着脱自在な前照灯から構成される前照灯ユニットを提供することを目的とする。
【課題を解決するための手段】
【０００９】
前記目的を達成すべく、本発明による前照灯ユニットは、二輪車本体に固定されるブラケットと、該ブラケットに対して着脱自在な前照灯と、から構成される前照灯ユニットであって、前記前照灯と前記ブラケットは、一方が凹部を、他方が凸部をそれぞれ備え、前記前照灯は、その前面に照明が透過される透光窓を備え、その背面に前記凹部もしくは前記凸部を備えており、前記前照灯の背面の前記凹部もしくは前記凸部と前記ブラケットの前記凸部もしくは前記凹部が係合して形成されるものである。
【００１０】
ここで、「二輪車」とは、自転車や自動二輪車等を意味している。また、「二輪車本体」とは、フレーム、前ホーク、ハンドル、キャリア、バスケットなど、二輪車を構成する各部品を意味している。さらに、「ブラケットに対して着脱自在な前照灯」とは、本発明のユニットを構成する前照灯が二輪車本体に固定されているブラケットに対して取り外し自在であることを意味しており、取り外した際には、携帯用のランプ（懐中電灯、ランタン等）として使用できるものである。
【００１１】
本発明の前照灯ユニットでは、二輪車本体に固定されるブラケットに対して前照灯の背面が取り付けられる構成を適用しており、この点でホルダに照明灯が完全に収容される従来の照明灯とはその取り付け構成が大きく相違している。たとえば金属片からなるブラケットの前面に前照灯の背面が取り付けられる。
【００１２】
取り付け構造の具体的な構成としては、前照灯とブラケットの一方が凹部を、他方が凸部をそれぞれ備え、前照灯の背面の凹部もしくは凸部とブラケットの凸部もしくは凹部が係合するものである。たとえば、前照灯の背面に凹部があり、ブラケットの前面に凸部がある形態を挙げることができる。
【００１３】
本発明の前照灯ユニットによれば、ブラケットに対して前照灯の背面が取り付けられる構成ゆえに、ブラケットに対する前照灯の取り付けが容易となる。また、一方の凹部と他方の凸部を係合させる構成ゆえにブラケットと前照灯の取り付け部における構造安定性も高い。さらに、従来の照明灯のようにホルダに前照灯の全体を収容するといった構成でなく、比較的小型のブラケットの一部に前照灯の背面を取り付ける構成ゆえに、仮にブラケットから前照灯が取り外された場合でもブラケットが二輪車全体の外観性に与える影響は極めて少ない。
【００１４】
たとえば、ブラケットの実施の形態として、前記二輪車本体に固定される固定片と、該固定片に設けられた取り付け片と、から構成され、前記取り付け片の前面に前記凹部もしくは前記凸部が設けられている形態を挙げることができる。このようなシンプルでかつ小型のブラケットは、前ホークやハンドル、バスケットの下面などに容易に固定することができる。
【００１５】
また、本発明による前照灯ユニットの好ましい実施の形態として、前記凸部はその一部に側方に広がる第一フランジを備え、前記凹部はその一部に該第一フランジが通過する歯抜け部を備えた第二フランジを備えており、前記凸部の前記第一フランジが前記歯抜け部を介して前記凹部内に挿入され、前照灯もしくはブラケットの一方が他方に対して回動され、第一フランジと第二フランジが係合して形成される形態を挙げることができる。
【００１６】
この係合形態は、たとえばブラケットに設けられた凸部を前照灯の背面に設けられた凹部に挿入し、次に、前照灯を回動させることでブラケットと前照灯の係合が図られるものである。このように、凹部に対して凸部を挿入し、ブラケットに対して前照灯を回動させて双方が係合することにより、二輪車走行時の振動や横揺れに対してもブラケットと前照灯の係合姿勢が解除され難くなる。また、たとえばブラケットに対して前照灯の背面を螺合させながら固定する方法と異なり、前照灯の背面のたとえば凹部をブラケットのたとえば凸部に押込み（凸部を凹部に挿入）、ブラケットに対して前照灯を回動させる取り付け方法ゆえに取り付けが容易となる。したがって、乗員が急いでいる際に、ブラケットに対する前照灯の取り付けのみならず、ブラケットから前照灯を取り外す際にも速やかに前照灯の取り付けや取り外しが可能になる。
【００１７】
また、本発明による前照灯ユニットの他の実施の形態において、前記前照灯はその側面に、照明の点灯と消灯の切替え、もしくは点灯と点滅と消灯の切替えを実行するメイン操作部と、照明の色を変更するサブ操作部を備えており、前記ブラケットに対して前記前照灯が固定された際に、少なくともメイン操作部が予め調整されている位置に位置決めされるものである。
【００１８】
前照灯ユニットを構成する前照灯は、前照灯モードとランプモードに切替えが可能である。「前照灯モード」とは、前照灯が自転車等に取り付けられ、文字通り前照灯として機能するモードである。一方、「ランプモード」とは、前照灯が自転車等から取り外され、携帯用の懐中電灯として、あるいはランタンとして、さらには子供の遊具として機能するモードである。メイン操作部により、前照灯モードにおいては点灯と消灯の切替えが実行され、ランプモードにおいては点灯と点滅と消灯の切替えが実行される。また、たとえば二輪車本体に固定されたブラケットから前照灯を取り外して携帯用懐中電灯やランタン等のランプとして、あるいは子供がランプを光らせながら遊ぶ遊具として使用するランプモードにおいては、サブ操作部を操作することにより、点灯モードや点滅モードにおける光色変更、すなわち、白光色や淡黄色光から赤色や青色、虹色等に光色を変更することができる。
【００１９】
これらメイン操作部およびサブ操作部は前照灯のたとえば側面に設けられているが、本実施の形態では、ブラケットに対して前照灯を押込み、次いで回動させて取り付けた際に、少なくともメイン操作部が操作し易い位置等、予め決められた位置に位置決めされるように設定されている。
【００２０】
メイン操作部の位置決め位置としては、ブラケットに対して取り付けられた前照灯の側面の頂上や左右横、左右斜め上方が挙げられる。たとえば前ホークに前照灯ユニットが取り付けられる場合であってその上にバスケットがある場合、メイン操作部が前照灯の頂上にあるとバスケットがメイン操作部の操作の邪魔になるため、このような場合は前照灯の側面の左右横や、左右斜め上方など、操作の際にバスケットが邪魔にならず、かつ指が届いて操作し易い位置がメイン操作部の位置決め位置として設定される。
【００２１】
また、本発明による前照灯ユニットの好ましい実施の形態として、前記前照灯は、照明機器および電池を収容する前照灯本体と、該前照灯本体に着脱可能な電池蓋とから構成され、前記前照灯本体と前記電池蓋は、一方が第三フランジを備え、他方が第三フランジが通過する歯抜け部を備えた第四フランジを備えており、第三フランジが該歯抜け部を介して第四フランジの背面に挿入され、前記前照灯本体もしくは前記電池蓋の一方が他方に対して回動され、第三フランジが第四フランジに係合することで双方の固定が図られるものであり、前記電池蓋と前記前照灯本体との係合部の径が前記前照灯もしくは前記ブラケットに設けられた前記凹部の内径よりも大きいものである。
【００２２】
照明機器には、基板とその上に搭載される発光素子等の光源が含まれ、発光素子としては、第一発光素子として白色光や淡黄色光を発するLEDが適用でき、第二発光素子として赤色、青色、虹色等の光を発するLEDが適用できる。
【００２３】
電源である電池と照明機器が隣接するようにこれらが前照灯本体に収容され、電池交換の際に取り外される電池蓋が前照灯の背面を構成する。すなわち、電池蓋の背面にブラケットの凸部もしくは凹部と係合する凹部もしくは凸部が設けられている。
【００２４】
電池蓋と前照灯本体も、ブラケットと前照灯の背面との係合構造の実施の形態のように、双方がフランジを有し、一方のフランジの歯抜け部を介して他方のフランジが一方のフランジの背面に挿入され、回動されることでフランジ同士の係合が図られる。
【００２５】
ブラケットと前照灯、前照灯本体と電池蓋、はいずれも、一方に対して他方を回動させて着脱する構成となっている。ここで、電池蓋の径は、たとえば電池蓋背面の凹部の径よりも大きいことより、前照灯を回動させた際には、小径の凹部の方が回動に要するトルクが大径の電池蓋と前照灯本体との回動に要するトルクより小さいため、前照灯本体に対して電池蓋が回動されることなく、ブラケットに対して前照灯が回動されることになる。したがって、ブラケットから前照灯を取り外すためにブラケットに対して前照灯を相対的に回動させた際に、電池蓋が回動して前照灯本体から外れることはない。電池交換の際には、ブラケットから前照灯が取り外され、次いで電池蓋を回動させて前照灯本体から電池蓋が取り外されることになる。
【発明の効果】
【００２６】
以上の説明から理解できるように、本発明による前照灯ユニットによれば、ブラケットに対して前照灯の背面が取り付けられる構成を有し、具体的には、前照灯の背面とブラケットの一方が凹部を、他方が凸部をそれぞれ備え、前照灯の背面の凹部もしくは凸部とブラケットの凸部もしくは凹部が係合することにより、ブラケットに対する前照灯の取り付けが容易となり、ブラケットと前照灯の取り付け部における構造安定性も高く、さらには、比較的小型のブラケットの一部に前照灯の背面を取り付ける構成ゆえに、仮にブラケットから前照灯が取り外された場合でもブラケットが二輪車全体の外観性に与える影響は極めて少ない。
【図面の簡単な説明】
【００２７】
【図１】自転車に前照灯ユニットが取り付けられている状態を示した斜視図である。
【図２】（ａ）は前照灯の閉じ姿勢を示した斜視図であり、（ｂ）は前照灯の開き姿勢を示した斜視図である。
【図３】（ａ）は図２のIIIa−IIIa矢視図であり、（ｂ）はIIIb−IIIb矢視図である。
【図４】（ａ）は前照灯本体に対して電池蓋が固定されている状態を示した斜視図であり、（ｂ）は電池蓋を回動している状態を示した斜視図である。
【図５】前照灯本体から電池蓋が取り外された状態を示した斜視図である。
【図６】ブラケットの構成を説明した斜視図である。
【図７】ブラケットに対し、前照灯を取り付ける前の状態を示した斜視図である。
【図８】ブラケットに対し、前照灯を取り付けている状況を説明した斜視図である。
【図９】ブラケットに対して前照灯が取り付けられ、前照灯ユニットが形成された状態を示した斜視図である。
【発明を実施するための形態】
【００２８】
以下、図面を参照して本発明の前照灯ユニットの実施の形態を説明する。なお、図示例は前照灯ユニットの固定される二輪車として自転車が示されているが、自動二輪車に前照灯ユニットが固定されてもよいことは勿論のことである。また、図示例は自転車の前ホークに前照灯ユニットが固定されている形態であるが、ハンドルやバスケット下面等に前照灯ユニットが固定される形態であってもよいことは勿論のことである。さらに、図示例は、側方照射部が第一本体に固定され、脚を備えた第二本体が側方照射部に対して相対的にスライドする形態であるが、側方照射部が第二本体に固定され、第一本体が側方照射部に対して相対的にスライドする形態であってもよいことは勿論のことである。
【００２９】
（前照灯ユニットが自転車に取り付けられている態様）
まず、図１を参照して本発明の前照灯ユニットが自転車に取り付けられている状態を説明する。
【００３０】
前照灯ユニット１００は、自転車のヘッドパイプ２に回転自在に支持されて不図示のハンドルと一体に回転する前ホーク１に取り付けられるブラケット２０と、ブラケット２０に対してその背面１５ａが取り付けられる前照灯１０とから構成される。
【００３１】
なお、前ホーク１において前照灯ユニット１００の上方には不図示のバスケットが取り付けられてもよい。
【００３２】
自転車の前ホーク１に前照灯ユニット１００が取り付けられた状態において、前照灯１０の透光窓１２ｂを介して照明が透過され（Ｘ１方向）、前照灯として供される。
【００３３】
（前照灯の詳細な説明）
図２〜図５を参照して、前照灯１０の詳細な構成と、前照灯１０の閉じ姿勢と開き姿勢について説明する。ここで、図２ａは前照灯１０の閉じ姿勢を示した図であり、図３ａはその縦断面図である。また、図２ｂは前照灯１０の開き姿勢を示した図であり、図３ｂはその縦断面図である。さらに、図４ａ、ｂ、図５は順に、前照灯本体から電池蓋を取り外す状況を示した図である。
【００３４】
前照灯１０は、照明機器１６と電池１７を収容し、端部に第一開口１１ａを有する筒状の第一本体１１と、第一本体１１に対して相対的にスライド自在であり（Ｙ１方向）、第一本体１１の第一開口１１ａに対して当接自在な第二開口１２ａを備え、第二開口１２ａの反対側に透光窓１２ｂを備えた筒状の第二本体１２と、第一本体１１と第二本体１２の内部に収容され、透明で筒状の側方照射部１３と、電池蓋１５とから大略構成されている。なお、本明細書では、第一本体１１と第二本体１２と側方照射部１３をまとめて前照灯本体１４と称し、電池蓋１５と区別するものとする。
【００３５】
第一本体１１は、側面にメイン操作部１１ｃとサブ操作部１１ｄが備えてある。メイン操作部１１ｃでは、自転車に取り付けられた状態の前照灯モードにおいて点灯と消灯の切替えが実行され、自転車から取り外された状態のランプモードにおいて点灯と点滅と消灯の切替えが実行される。一方、サブ操作部１１ｄでは、ランプモードにおいて色変更が実行される。なお、各操作部１１ｃ、１１ｄは、図示例の操作ボタンのほか、操作レバー等であってもよい。
【００３６】
照明機器１６は、基板１６ａと、基板１６ａに搭載された白色光や淡黄色光を発する第一発光素子１６ｂ、不図示の赤色光、青色光、虹色光等を発する第二発光素子とから構成されており、基板１６ａの背面にある電池１７を電源とする。発光素子１６ｂとしては、たとえば１ＷのLEDを使用することができる。なお、自転車の前照灯（前照灯モード）として機能する場合は、メイン操作部１１ｃを押圧することによって白光色が点灯され、照射される。一方、自転車から取り外して、懐中電灯またはランタン等のランプ、あるいは子供の遊びの一環（ランプモード）として使用する場合は、メイン操作部１１ｃを押圧することによって点灯モードから点滅モードに切替えが実行され、サブ操作部１１ｄを押圧することによって白光色や淡黄色光から赤色や青色、虹色への光色変更が実行される。また、メイン操作部１１ｃを押圧することにより、点灯と消灯の間で調光をおこなうこともできる。たとえばメイン操作部１１ｃが操作ボタンからなる場合、操作ボタンを押すことで点灯と消灯の切替えや、点灯と点滅と消灯の切替えが実行され、操作ボタンを長押しすることで調光制御を実行することができる。
【００３７】
第二本体１２は、筒状の本体側方から四本の脚１２ｃが張り出し、脚の先端１２ｃ’は、図３ａ、ｂで示すように透光窓１２ｂよりも長さtだけ突出している。
【００３８】
また、第二本体１２の第二開口１２ａには第三係合突起１２ａ’が内側に張り出している。
【００３９】
側方照射部１３はたとえば透明の筒体であり、その一端が第一開口１１ａを介して第一本体１１の内部に嵌まり込んでおり、さらに、側方照射部１３のうち、第一本体１１に対して第二本体１２がスライドする方向（Ｙ１方向）の二箇所には、第一係合突起１３ａと第二係合突起１３ｂが設けられている。
【００４０】
図２ａ、図３ａで示すように、第一本体１１の第一開口１１ａと第二本体１２の第二開口１２ａが当接した閉じ姿勢では、側方照射部１３は外部から視認できず、透光窓１２ｂを介して照明が前方（Ｘ１方向）に発せられる自転車の前照灯（前照灯モード）や前方のみ照射する懐中電灯（ランプモード）としての機能を果たす。
【００４１】
一方、図２ｂ、図３ｂで示すように、第一開口１１ａと第二開口１２ａが離れた開き姿勢では、側方照射部１３が外部に臨み、照明が前方（Ｘ１方向）と側方（Ｘ２方向）に発せられる。開き姿勢は主に、図１で示す前照灯ユニット１００の状態から前照灯１０がブラケット２０から取り外され、携帯用として使用される場合（ランプモード）に機能を果たす。その具体的態様は、携帯用の懐中電灯やランタンである。
【００４２】
前照灯１０がランタンとして使用される場合は、たとえば不図示のテーブルに脚の先端１２ｃ’が載置され、使用される。この際、図３ａ、ｂで示すように、透光窓１２ｂと脚の先端１２ｃ’の間に離間tが存在することから、側方照射部１３から３６０度側方に照明が照射されることに加えて、透光窓１２ｂを介した間接照明を照射することができる。
【００４３】
なお、脚１２ｃは、図示例のように四脚でなく、前照灯１０が安定的に載置されるように１２０度間隔で三脚の形態などであってもよい。
【００４４】
また、自転車に前照灯１０が取り付けられて文字通り前照灯（前照灯モード）として使用される場合において、図２ｂ、図３ｂで示すように前照灯１０を開き姿勢として使用することもできる。この使用形態では、側方照射部１３からの照射も実行されることから、夜間や暗がりにおいて自転車の側方からの被視認性を向上させることができる。
【００４５】
また、図２ａ、図３ａで示す前照灯として機能する閉じ姿勢においては、側方照射部１３の第一係合突起１３ａと第二本体１２の第三係合突起１２ａ’が係合し、閉じ姿勢を保持することができる。
【００４６】
一方、図２ｂ、図３ｂで示すランタン等のランプとして機能する開き姿勢においては、側方照射部１３の第二係合突起１３ｂと第二本体１２の第三係合突起１２ａ’が係合し、開き姿勢を保持することができる。なお、図示を省略するが、係合突起同士の係合によって姿勢保持を図る形態のほかにも、たとえば側方照射部１３の側面と第二本体１２の内壁面の間の摩擦係合により、姿勢保持を図る形態などであってもよい。
【００４７】
第一本体１１の後方には電池蓋１５が着脱自在に取り付けられている。電池蓋１５は、図４ａで示すように、その表面中央に凹部１５ｂを有し、凹部１５ｂの開口エッジには、歯抜け部１５ｃ’を有する第二フランジ１５ｃが備えてある。また、凹部１５ｂの中央位置には、二輪車に固定されているブラケット２０に対して前照灯１０が取り付けられているか否かを検出する検出ボタン１５ｄが設けられている。さらに、電池蓋１５の表面の直径線状の２箇所に不図示の紐を引っ掛ける爪１５ｅが備えてあり、前照灯１０をたとえば携帯用の懐中電灯として使用する場合に、爪１５ｅに紐を引っ掛け、紐を首や腕にぶら下げる等して使用することができるようになっている。
【００４８】
図４ｂで示すように、前照灯本体１４に対して電池蓋１５を回動することにより（Ｚ１方向）、図５で示すように前照灯本体１４から電池蓋１５を取り外すことができ、第一本体１１内に収容されている電池１７の交換をおこなうことができる。
【００４９】
図５で示すように、電池蓋１５はその端部に第三フランジ１５ｆを備えている。一方、第一本体１１はその端部に第三フランジ１５ｆが通過する歯抜け部１１ｂ’を備えた第四フランジ１１ｂを備えている。
【００５０】
第一本体１１に対して電池蓋１５を取り付ける際は、第三フランジ１５ｆを歯抜け部１１ｂ’を介して第四フランジ１１ｂの背面に挿入し、前照灯本体１４に対して電池蓋１５を回動し、第三フランジ１５ｆを第四フランジ１１ｂに係合させることで双方の固定を図ることができる。そして、前照灯本体１４から電池蓋１５を取り外す際は、この逆の操作により、電池蓋１５を回動させて第四フランジ１１ｂから第三フランジ１５ｆを係合解除し、第三フランジ１５ｆを歯抜け部１１ｂ’を介して引き抜くことで電池蓋１５の取り外しが実行できる。
【００５１】
また、図５で示すように、電池蓋１５の前照灯本体１４との係合部の径ｒ２は、電池蓋１５に設けられた凹部１５ｂの内径ｒ１よりも大きくなっている。このことにより、後述するように、ブラケット２０から前照灯１０を取り外すためにブラケット２０に対して前照灯１０を相対的に回動させた際に、電池蓋１５が回動して前照灯本体１４から外れることを解消できる。
【００５２】
（ブラケットの構成とブラケットに対して前照灯を取り付ける方法の説明）
図６〜９を参照して、ブラケットの構成と、ブラケットに対して前照灯を取り付ける方法を説明する。
【００５３】
図６で示すように、ブラケット２０は、自転車の前ホーク１に固定される固定片２１と、固定片２１の前ホーク１とは反対側の端部に設けられた取り付け片２３と、取り付け片２３の前面に設けられた筒状の凸部２４と、凸部２４の内側に設けられた押圧突起２５とから大略構成されている。このように、前照灯１０の背面１５ａが取り付けられるブラケット２０は、従来の照明灯を包囲するホルダに比して格段に小型であり、したがって、ブラケット２０から前照灯１０が取り外された状態においてブラケット２０が自転車全体の外観性に与える影響は極めて少ない。
【００５４】
筒状の凸部２４は、その一部に側方に広がる第一フランジ２４’を備えている。
【００５５】
図７で示すように、ブラケット２０に対して前照灯１０を取り付ける際は、ブラケット２０の第一フランジ２４’と電池蓋１５の第二フランジ１５ｃの歯抜け部１５ｃ’を位置決めし、凸部２４に対して凹部１５ｂを挿入していき（Ｙ２方向）、図８で示すように第二フランジ１５ｃの歯抜け部１５ｃ’を介して第一フランジ２４’を凹部１５ｂ内に挿入する。
【００５６】
次に、図９で示すようにブラケット２０に対して前照灯１０を回動させることにより（Ｚ２方向）、第一フランジ２４’と第二フランジ１５ｃが係合し、ブラケット２０に対する前照灯１０の固定が図られ、前照灯ユニット１００が形成される。
【００５７】
図９で示す前照灯ユニット１００では、少なくともメイン操作部１１ｃが操作し易い位置等、予め決められた位置に位置決めされるように設定されている。メイン操作部１１ｃの位置決め位置としては、ブラケット２０に対して取り付けられた前照灯１０の側面の頂上や左右横、左右斜め上方が挙げられる。たとえば前照灯ユニット１００の上に不図示のバスケットがある場合、メイン操作部１１ｃが前照灯１０の頂上にあるとバスケットがメイン操作部１１ｃの操作の邪魔になるため、このような場合は前照灯１０の側面の左右横や、左右斜め上方など、操作の際にバスケットが邪魔にならず、かつ指が届いて操作し易い位置がメイン操作部１１ｃの位置決め位置として設定される。
【００５８】
また、ブラケット２０と前照灯１０、前照灯本体１４と電池蓋１５はいずれも、一方に対して他方を回動させて着脱する構成となっている。ここで、電池蓋１５の前照灯本体１４との係合部の径ｒ２が電池蓋１５の背面１５ａの凹部１５ｂの内径ｒ１よりも大きく設定されていることから、ブラケット２０から前照灯１０を回動させて取り外そうとした際に、相対的に小径の凹部１５ｂと凸部２４との回動に要するトルクは大径の電池蓋１５と前照灯本体１４との回動に要するトルクより小さいため、前照灯本体に対して電池蓋１５が回動されることなく、ブラケット２０に対して前照灯１０が回動されることになる。したがって、ブラケット２０から前照灯１０を取り外すためにブラケット２０に対して前照灯１０を相対的に回動させた際に、電池蓋１５が回動して前照灯本体１４から外れることはない。なお、電池交換の際には、ブラケット２０から前照灯１０が取り外され、次いで電池蓋１５を回動させて前照灯本体１４から電池蓋１５を取り外すことにより、電池交換をおこなうことができる。
【００５９】
図８で示すように、第一フランジ２４’が凹部１５ｂ内に挿入された際に、押圧突起２５が凹部１５ｂ内にある検出ボタン１５ｄを押圧する。
【００６０】
図示を省略するが、前照灯１０内には、前照灯モードとランプモードの２つのモードに切替える制御部が備えられており、検出ボタン１５ｄが押圧されると、制御部にて前照灯モードに切替え制御が実行される。そして、この前照灯モードにおいては、点滅や色変更ができず、たとえば白色光による点灯のみが実行されることになる。すなわち、サブ操作部１１ｄを押圧しても点滅モードへの変更や色変更は実行できない。なお、たとえばメイン操作部１１ｃを操作することにより、点灯状態において強点灯と弱点灯の切替え等をおこなうことは可能である。
【００６１】
一方、検出ボタン１５ｄが押圧されていない際には、制御部にてランプモードに切替え制御が実行される。ランプモードでは、サブ操作部１１ｄによる操作が実行可能となる。既述するように、メイン操作部１１ｃを押圧することによって点灯モードから点滅モードに切替えが実行され、メイン操作部１１ｃをたとえば長押しすることで調光制御が実行され、サブ操作部１１ｄを押圧することによって白光色や淡黄色光から赤色や青色、虹色への光色変更が実行される。
【００６２】
このように、図示する前照灯ユニット１００によれば、ブラケット２０に対して前照灯１０の背面１５ａが取り付けられる構成を有していること、前照灯１０の背面１５ａの凹部１５ｂとブラケット２０の凸部２４が係合することにより、ブラケット２０に対する前照灯１０の取り付けが容易となり、また、ブラケット２０と前照灯１０の取り付け部における構造安定性も高くなる。さらに、比較的小型のブラケットの一部に前照灯の背面１５ａを取り付ける構成であることから、ブラケット２０から前照灯１０が取り外された際にブラケット２０が自転車全体の外観性に与える影響は極めて少なくなる。
【００６３】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００６４】
１…前ホーク、２…ヘッドパイプ、１０…前照灯、１１…第一本体、１１ａ…第一開口、１１ｂ…第四フランジ、１１ｂ’…歯抜け部、１１ｃ…メイン操作部、１１ｄ…サブ操作部、１２…第二本体、１２ａ…第二開口、１２ａ’…第三係合突起、１２ｂ…透光窓、１２ｃ…脚、１２ｃ’…脚の先端、１３…側方照射部、１３ａ…第一係合突起、１３ｂ…第二係合突起、１４…前照灯本体、１５…電池蓋、１５ａ…背面、１５ｂ…凹部、１５ｃ…第二フランジ、１５ｃ’…歯抜け部、１５ｄ…検出ボタン、１５ｅ…爪、１５ｆ…第三フランジ、１６…照明機器、１６ａ…基板、１６ｂ…発光素子（LED）、１７…電池、２０…ブラケット、２１…固定片、２３…取り付け片、２４…凸部、２４’…第一フランジ、２５…押圧突起、１００…前照灯ユニット
【図１】
2015223874.tif 000003
【図２】
2015223874.tif 000004
【図３】
2015223874.tif 000005
【図４】
2015223874.tif 000006
【図５】
2015223874.tif 000007
【図６】
2015223874.tif 000008
【図７】
2015223874.tif 000009
【図８】
2015223874.tif 000010
【図９】
2015223874.tif 000011